【手続補正書】
【提出日】平成19年9月19日(2007.9.19)
【手続補正１】
【補正対象書類名】明細書
【補正対象項目名】特許請求の範囲
【補正方法】変更
【補正の内容】
【特許請求の範囲】
【請求項１】  式（１）：
【化１】
2001152062.tif 000001
（式中、
Ｘは、ヒドロキシ、非置換若しくはヒドロキシ置換Ｃ1−Ｃ4アルキル、ビニル又は式：−ＣＨ2−ＣＨ2−Ｚ（ここで、Ｚは、アルカリ条件下で除去されうる基であるか、又は非置換若しくはアルキル部分において置換されているＣ1−Ｃ24アルコキシ（これは、酸素によりアルキル部分において更に中断され得る）；非置換又はフェニル環において置換されているフェノキシ；非置換又はアルキル部分において置換されているＣ1−Ｃ4アルキルチオ；非置換又はフェニル環において置換されているフェニルチオ；アミノ；非置換又はアルキル部分において置換されているＮ−モノ−若しくはＮ，Ｎ−ジ−Ｃ1−Ｃ24アルキルアミノ（これは、酸素により、又は式：−ＮＲ1−（ここで、Ｒ1は、水素又は非置換若しくは更に置換されているＣ1−Ｃ4アルキルである）の基によりアルキル部分において更に中断され得る）；Ｃ10−Ｃ20テルペンアミノ；非置換又はシクロアルキル環において置換されているＣ5−Ｃ7シクロアルキルアミノ；非置換又はアリール部分において置換されているフェニル−若しくはナフチル−アミノ又はＮ−Ｃ1−Ｃ4アルキル−Ｎ−フェニル−若しくはＮ−Ｃ1−Ｃ4アルキル−Ｎ−ナフチル−アミノ；モルホリノ；ピペリジン−１−イル；又は非置換若しくは窒素原子において置換されているピペラジン−１−イルである）の基であるか；或いは
Ｘは、アルカリ条件下で除去されうる基を除いて、Ｚと同じ定義を有し；
Ｒは、Ｃ1−Ｃ4アルキル、Ｃ1−Ｃ4アルコキシ又はハロゲンであり；そして
ｍ及びｎは、互いに独立して、０、１又は２の数である）の染料と
有機溶媒とを含むインク。
【請求項２】  式（Ｉ）の染料が、式（２）：
【化２】
2001152062.tif 000002
の染料である、請求項１記載のインク。
【請求項３】  請求項１記載のインクの使用を含む、インクジェットプリント法による紙、紡織繊維材料、プラスチックフィルム又はアルミ箔の印刷方法。
【請求項４】  式（１ａ）：
【化３】
2001152062.tif 000003
（式中、
Ｘは、ヒドロキシ、非置換若しくはヒドロキシ置換Ｃ1−Ｃ4アルキル、ビニル又は式：−ＣＨ2−ＣＨ2−Ｚ（ここで、Ｚは、アルカリ条件下で除去されうる基であるか、又は非置換若しくはアルキル部分において置換されているＣ1−Ｃ24アルコキシ（これは、酸素によりアルキル部分において更に中断され得る）；非置換又はフェニル環において置換されているフェノキシ；非置換又はアルキル部分において置換されているＣ1−Ｃ4アルキルチオ；非置換又はフェニル環において置換されているフェニルチオ；アミノ；非置換又はアルキル部分において置換されているＮ−モノ−若しくはＮ，Ｎ−ジ−Ｃ1−Ｃ24アルキルアミノ（これは、酸素により、又は式：−ＮＲ1−（ここで、Ｒ1は、水素又は非置換若しくは更に置換されているＣ1−Ｃ4アルキルである）の基によりアルキル部分において更に中断され得る）；Ｃ10−Ｃ20テルペンアミノ；非置換又はシクロアルキル環において置換されているＣ5−Ｃ7シクロアルキルアミノ；非置換又はアリール部分において置換されているフェニル−若しくはナフチル−アミノ又はＮ−Ｃ1−Ｃ4アルキル−Ｎ−フェニル−若しくはＮ−Ｃ1−Ｃ4アルキル−Ｎ−ナフチル−アミノ；モルホリノ；ピペリジン−１−イル；又は非置換若しくは窒素原子において置換されているピペラジン−１−イルである）の基であるか；或いは
Ｘは、アルカリ条件下で除去されうる基を除いて、Ｚと同じ定義を有し；
Ｒは、Ｃ1−Ｃ4アルキル、Ｃ1−Ｃ4アルコキシ又はハロゲンであり；そして
ｍ及びｎは、互いに独立して、０、１又は２の数である）の染料。
【請求項５】  式（１ｂ）：
【化４】
2001152062.tif 000004
（式中、
Ｘは、ヒドロキシ、非置換若しくはヒドロキシ置換Ｃ1−Ｃ4アルキル又は式：−ＣＨ2−ＣＨ2−Ｚ（ここで、Ｚは、非置換又はアルキル部分において置換されているＣ1−Ｃ24アルコキシ（これは、酸素によりアルキル部分において更に中断され得る）；非置換若しくはフェニル環において置換されているフェノキシ；非置換又はアルキル部分において置換されているＣ1−Ｃ4アルキルチオ；非置換又はフェニル環において置換されているフェニルチオ；アミノ；非置換又はアルキル部分において置換されているＮ−モノ−若しくはＮ，Ｎ−ジ−Ｃ1−Ｃ24アルキルアミノ（これは、酸素により、又は式：−ＮＲ1−（ここで、Ｒ1は、水素又は非置換若しくは更に置換されているＣ1−Ｃ4アルキルである）の基によりアルキル部分において更に中断され得る）；Ｃ10−Ｃ20テルペンアミノ；非置換又はシクロアルキル環において置換されているＣ5−Ｃ7シクロアルキルアミノ；非置換又はアリール部分において置換されているフェニル−若しくはナフチル−アミノ又はＮ−Ｃ1−Ｃ4アルキル−Ｎ−フェニル−若しくはＮ−Ｃ1−Ｃ4アルキル−Ｎ−ナフチル−アミノ；モルホリノ；ピペリジン−１−イル；又は非置換若しくは窒素原子において置換されているピペラジン−１−イルである）の基であるか；或いはＸは、Ｚと同じ定義を有し；
Ｒは、Ｃ1−Ｃ4アルキル、Ｃ1−Ｃ4アルコキシ又はハロゲンであり；そして
ｍ及びｎは、互いに独立して、０、１又は２の数である）の染料。
【請求項６】  請求項４又は５記載の染料の調製方法であって、
式（３）：
【化５】
2001152062.tif 000005
の化合物をジアゾ化し、得られるジアゾ化合物と、式（４）：
【化６】
2001152062.tif 000006
の化合物とを結合させ、得られるアゾ染料を銅発生剤により銅処理するか（ここで、上記式中、Ｒ2は、水素又はＣ1−Ｃ4アルキルであり、Ｒ、Ｘ、ｍ及びｎに関しては、請求項４又は５に示された定義が適用される）；又は、
式（３）（式中、Ｘは、ビニル又は式：−ＣＨ2−ＣＨ2−Ｚ（ここで、Ｚは、アルカリ条件下で除去しうる基である）の基である）の化合物をジアゾ化し、得られるジアゾ化合物と、式（４）の化合物とを結合させ、得られるジアゾ染料を銅発生剤により銅処理し、得られる銅錯体アゾ染料と、式（５）：
Ｚ−Ｈ                          （５）
（式中、Ｚは、請求項５と同義である）の化合物の少なくとも等モルとを適切に反応させることを含む方法。
【請求項７】  式（１）：
【化７】
2001152062.tif 000007
（式中、
Ｘは、ヒドロキシ、非置換若しくはヒドロキシ置換Ｃ1−Ｃ4アルキル、ビニル又は式：−ＣＨ2−ＣＨ2−Ｚ（ここで、Ｚは、アルカリ条件下で除去されうる基であるか、又は非置換若しくはアルキル部分において置換されているＣ1−Ｃ24アルコキシ（これは、酸素によりアルキル部分において更に中断され得る）；非置換又はフェニル環において置換されているフェノキシ；非置換又はアルキル部分において置換されているＣ1−Ｃ4アルキルチオ；非置換又はフェニル環において置換されているフェニルチオ；アミノ；非置換又はアルキル部分において置換されているＮ−モノ−若しくはＮ，Ｎ−ジ−Ｃ1−Ｃ24アルキルアミノ（これは、酸素により、又は式：−ＮＲ1−（ここで、Ｒ1は、水素又は非置換若しくは更に置換されているＣ1−Ｃ4アルキルである）の基によりアルキル部分において更に中断され得る）；Ｃ10−Ｃ20テルペンアミノ；非置換又はシクロアルキル環において置換されているＣ5−Ｃ7シクロアルキルアミノ；非置換又はアリール部分において置換されているフェニル−若しくはナフチル−アミノ又はＮ−Ｃ1−Ｃ4アルキル−Ｎ−フェニル−若しくはＮ−Ｃ1−Ｃ4アルキル−Ｎ−ナフチル−アミノ；モルホリノ；ピペリジン−１−イル；又は非置換若しくは窒素原子において置換されているピペラジン−１−イルである）の基であるか；或いは
Ｘは、アルカリ条件下で除去されうる基を除いて、Ｚと同じ定義を有し；
Ｒは、Ｃ1−Ｃ4アルキル、Ｃ1−Ｃ4アルコキシ又はハロゲンであり；そして
ｍ及びｎは、互いに独立して、０、１又は２の数である）の染料と、
式（６）：
【化８】
2001152062.tif 000008
のキサンテン染料、式（７）：
【化９】
2001152062.tif 000009
のアゾ染料及び式（８）：
【化１０】
2001152062.tif 000010
（式中、
Ｄ1及びＤ2は、互いに独立して、ベンゼン又はナフタレン系のジアゾ化合物の基であり、
Ｒ3、Ｒ4、Ｒ5及びＲ6は、互いに独立して、Ｃ1−Ｃ4アルキル又は非置換若しくは置換されているＣ5−Ｃ7シクロアルキルであり、
Ｒ7及びＲ8は、互いに独立して、スルホ又はカルボキシであり、そして
Ｒ9は、水素又はアシル基である）のアゾ染料の群からの染料の少なくとも1個とを一緒に含む染料混合物。
【請求項８】  下記の式：
【化１１】
2001152062.tif 000011
（式中、炭素原子Ｒa＋Ｒb＋Ｒcの合計は、１１〜１４である）のアミンの塩の形態である、式（１）：
【化１２】
2001152062.tif 000012
（式中、
Ｘは、ヒドロキシ、非置換若しくはヒドロキシ置換Ｃ1−Ｃ4アルキル、ビニル又は式：−ＣＨ2−ＣＨ2−Ｚ（ここで、Ｚは、アルカリ条件下で除去されうる基であるか、又は非置換若しくはアルキル部分において置換されているＣ1−Ｃ24アルコキシ（これは、酸素によりアルキル部分において更に中断され得る）；非置換又はフェニル環において置換されているフェノキシ；非置換又はアルキル部分において置換されているＣ1−Ｃ4アルキルチオ；非置換又はフェニル環において置換されているフェニルチオ；アミノ；非置換又はアルキル部分において置換されているＮ−モノ−若しくはＮ，Ｎ−ジ−Ｃ1−Ｃ24アルキルアミノ（これは、酸素により、又は式：−ＮＲ1−（ここで、Ｒ1は、水素又は非置換若しくは更に置換されているＣ1−Ｃ4アルキルである）の基によりアルキル部分において更に中断され得る）；Ｃ10−Ｃ20テルペンアミノ；非置換又はシクロアルキル環において置換されているＣ5−Ｃ7シクロアルキルアミノ；非置換又はアリール部分において置換されているフェニル−若しくはナフチル−アミノ又はＮ−Ｃ1−Ｃ4アルキル−Ｎ−フェニル−若しくはＮ−Ｃ1−Ｃ4アルキル−Ｎ−ナフチル−アミノ；モルホリノ；ピペリジン−１−イル；又は非置換若しくは窒素原子において置換されているピペラジン−１−イルである）の基であるか；或いは
Ｘは、アルカリ条件下で除去されうる基を除いて、Ｚと同じ定義を有し；
Ｒは、Ｃ1−Ｃ4アルキル、Ｃ1−Ｃ4アルコキシ又はハロゲンであり；そして
ｍ及びｎは、互いに独立して、０、１又は２の数である）の染料。